(57)【特許請求の範囲】
【請求項１】
ＦＭ変調された信号に含まれ１フレームが複数個のブロックで構成されるパケット形式の表示情報をブロック単位の少なくとも同期再生処理と誤り訂正処理を行ったのち、フレーム単位の少なくとも同期再生処理と誤り訂正処理を行うデータ復調回路を備えたＦＭ多重放送受信装置において、
前記データ復調回路により前記ブロック単位の処理が終了したときと前記フレーム単位の処理が終了したときの少なくとも一方のとき報知を行う報知手段と、該報知手段が報知したのち、前記データ復調回路によって前記各処理された前記表示情報を表示する表示手段とを備えたことを特徴とするＦＭ多重放送受信装置。
【請求項２】
ＦＭ変調された信号に含まれ１フレームが複数個のブロックで構成されるパケット形式の表示情報をブロック単位の少なくとも同期再生処理と誤り訂正処理を行ったのち、フレーム単位の少なくとも同期再生処理と誤り訂正処理を行うデータ復調回路を備えたＦＭ多重放送受信装置において、
前記データ復調回路が前記ブロック単位の処理が終了したとき第１の形態で報知を行い、その後、前記フレーム単位の処理が終了したときに第２の形態で報知を行う報知手段を備えたことを特徴とするＦＭ多重放送受信装置。
【発明の詳細な説明】
【０００１】
【産業上の利用分野】
本発明は、ＦＭ多重放送受信装置に関する。
【０００２】
【従来の技術】
ＦＭ多重放送は、文字や図形情報や付加情報等をＦＭ音声放送の電波の隙間に多重して新しいサービスを提供する放送システムである（特開平３−６９２６号公報参照）。このシステムは欧州のＲＤＳや米国のＲＢＤＳで実用化されている。日本においても一部の放送局が１９９５年４月のサービス開始を目指して準備している。これにはニュース，天気予報，補完番組，音楽番組，交通情報や緊急放送などの表示情報があり、内容により分類されている。この選択は放送局から送られてくるメニューに基づき行われる。
【０００３】
【発明が解決しようとする課題】
ＦＭ多重放送の受信を開始する操作をしたとき、たとえＦＭ放送を聞いていたとしても、その放送局がＦＭ多重信号を送出しない放送局であったり、ＦＭ多重信号を送出しない時間帯であったときは当然ながらＦＭ多重放送を受信することはできない。また、車両等により移動している場合で、受信状況が悪くて弱電界となるときは、ＦＭ多重放送を正しく受信することはできずに、情報を表示することはできないことがある。更に、複数の表示情報が送信される為に表示したい情報を即座に表示させることはできない。例えば、番組を選択するためのメニュー情報を表示しようとしても、他の番組を受信することによりメニューの表示が遅れる場合がある。
【０００４】
以上のように、ＦＭ多重放送の受信を開始する操作をしても即座にＦＭ多重情報を表示しないときがあり、このとき、操作者はいつＦＭ多重情報が表示されるのか、あるいは、このまま待てばいずれＦＭ多重情報が表示されるのかどうかわからないという問題があった。
【０００５】
【課題を解決するための手段】
本発明はかかる点に鑑みてなされたもので、その第１の特徴は、ＦＭ変調された信号に含まれ１フレームが複数個のブロックで構成されるパケット形式の表示情報をブロック単位の少なくとも同期再生処理と誤り訂正処理を行ったのち、フレーム単位の少なくとも同期再生処理と誤り訂正処理を行うデータ復調回路を備えたＦＭ多重放送受信装置において、前記データ復調回路により前記ブロック単位の処理が終了したときと前記フレーム単位の処理が終了したときの少なくとも一方のとき報知を行う報知手段と、該報知手段が報知したのち、前記データ復調回路によって前記各処理された前記表示情報を表示する表示手段とを備えたことである。
【０００６】
第２の特徴は、前記データ復調回路が前記ブロック単位の処理が終了したとき第１の形態で報知を行い、その後、前記フレーム単位の処理が終了したときに第２の形態で報知を行う報知手段を備えたことである。
【０００７】
【作用】
受信経過として、ブロック処理やフレーム処理の終了を報知する。また、表示しようとしている表示情報のブロック処理やフレーム処理の終了を報知する。
【０００８】
【実施例】
本発明の実施例を図に基づき説明する。まず、本実施例において受信するＦＭ多重放送信号の構成について説明する。本ＦＭ多重放送信号は郵政省告示第４６１号（平成６年８月２５日付）に準拠する。
【０００９】
ＦＭ多重放送の信号はパケット形式であり、１フレームは２８８ビット×２７２行（ブロック）のマトリクスで、図１に示す如く、データを伝送する１９０個のブロック（パケット）及び列方向のパリティを伝送する８２個のパリティのブロック（パリティパケット）からなる。パリティパケットはブロック識別符号（ＢＩＣ）とチェック符号（パリティ）とからなる（図２）。
【００１０】
文字情報の種類を示す番組番号はパケットに含まれる。パケット中の番組番号の位置を図３に基づき説明する。（ａ）はパケットの構成を示し、番組番号はその中のデータパケットに含まれる。（ｂ）はデータパケットの構成を示し、番組番号はその中のデータブロックに含まれる。データブロックは文字・図形の場合１４４ビットであり、付加情報の場合１６０ビットである。（ｃ）は文字・図形用のデータグループの構成を示し、１又は複数のデータブロックからなる。何個のデータブロックからなるかは、各データグループ終了符号により判断できる。番組番号はデータブロックの中のデータグループデータに含まれる。尚、付加情報のデータグループの説明は省略する。（ｄ）は番組データの構成を示し、１個のデータグループ中の１又は複数のデータグループデータからなる。先頭は番組管理データで、以降は１又は複数のページデータで構成される。番組番号は番組管理データ，ページデータいずれにも含まれる。（ｅ）は番組管理データ及びページデータの構成を示し、番組番号は夫々番組データヘッダ，ページデータヘッダに含まれる。（ｆ）は番組データヘッダ及びページデータヘッダの構成の先頭部を示し、番組番号はこの中にある。番組番号は８ビットであり、２５６種類の文字情報の内容を区別することができる。番組番号０がメニュー情報を示し、番組番号２５４が補完番号を示す。
【００１１】
図４は実施例の要部を示すブロック図である。（１）はＦＭ受信回路であり、ＦＭフロントエンド（２），ＦＭ−ＩＦ検波器（３）とＦＭステレオ復調回路（４）とからなる。ＦＭフロントエンド（２）はアンテナ（５）から受信した信号を増幅して高周波信号とし、高周波信号とＰＬＬ回路（６）からの発振信号を混合して中間周波数信号を出力する。ＦＭ−ＩＦ検波器（３）はＦＭフロントエンド（２）から出力される中間周波数信号に対してＦＭ検波を行う。ＦＭステレオ復調回路（４）はＦＭ−ＩＦ検波器（３）より入力されたステレオ複合信号を用いてＬチャンネル及びＲチャンネル信号を再生し、各チャンネル信号を出力する。ＦＭステレオ復調回路（４）から出力された信号は増幅回路（７）で増幅され、スピーカ（８）より音声となって出力される。
【００１２】
（９）は多重信号検出回路であり、多重用フィルタ（１０）とデータ復調回路（１１）とからなる。多重用フィルタ（１０）はＦＭフロントエンド（２）の出力信号から音声信号と雑音成分を取り除き、７６ｋＨｚに多重されているＬＭＳＫ（Level controlled Minimum Shift Keying）信号を抽出する。ＬＭＳＫとは ステレオ音声信号の大きさに応じて多重信号の大きさをコントロールする変調方式である。データ復調回路（１１）はＬＭＳＫ信号を表示可能なデータ信号に復調するものである。多重用フィルタ（１０）からの信号をブロック単位及びフレーム単位の処理により同期再生や誤り訂正を行う。ブロック単位の同期再生処理と誤り訂正処理が終了すると（これを以降、ブロックの同期がとれたという）、これを通知する信号を後述の制御回路（１３）に送出する。フレーム単位の同期再生処理と誤り訂正処理が終了すると（これを以降、フレームの同期がとれたという）、これを通知する信号を後述の制御回路（１３）に送出する。また、データ復調回路（１１）は表示情報の内容を区別する番組番号を検出し、この信号を制御回路（１３）に送出する。
【００１３】
（１２）は操作部であり、図５に示す如く複数のキーを有する。この中で、ＦＭ多重キー（Ｋ１）は他のモードからＦＭ多重モードへの切り替え操作を行うキーであり、ＦＭ多重メニューキー（Ｋ２）はメニューの表示操作を行うキーであり、選択キー１〜６（Ｋ３〜Ｋ８）はメニューに表示される文字情報の番組指定を操作するキーである。（１３）は制御回路であり、操作部（１２）や多重信号検出回路（９）に基づき各部を制御する。（１４）はＲＯＭであり、制御回路（１３）を動作させるプログラムや初期値のデータ等（メニュー情報や各番組情報の番組番号、及び、特定番組とする番組番号等）を記憶する。（１５）はＲＡＭであり、制御回路（１３）の動作に必要なデータを記憶する。（１６）は液晶表示装置であり、ＦＭ多重放送のメニュー情報（図２の表示装置（１６）の表示）や表示情報の文字あるいはＡＭ／ＦＭ放送局の周波数あるいは時刻等を表示する。表示文字数はＦＭ多重放送に準拠して１５．５文字×２行以上である。
【００１４】
上記の構成により実施例の動作を図に基づき説明する。図６は制御回路（１３）の主要な動作を示すフローチャートである。装置の電源が入れられると、ＲＯＭ（１４）のプログラムに基づき制御回路（１３）が起動する。このとき、ＲＡＭ（１５）にはメニュー情報や各番組情報の番組番号、及び、表示しようとする表示情報の番組番号等の初期値データがＲＯＭ（１４）より転送される。表示しようとする表示情報の番組番号とは、例えば、番組を選択させたい場合はメニューの番組番号０であり、放送中の音声と関係がある文字を表示させたい場合は補完番組の番組番号２５４である。
【００１５】
ＴＡＰＥ等の他のモードからＦＭ多重のモードに切り替えるために、ＦＭ多重キー（Ｋ１）が押されると（Ｓ１のＹ）、ＦＭ多重放送を受信開始したことを視覚的に報知するために１つのアスタリスク“＊”を表示する（Ｓ２）。最初の１ブロックの同期が所定時間内に取れると（Ｓ３〜Ｓ５のＮ）、制御回路（１３）はＦＭ多重放送の信号をキャッチしたことを報知するために２つのアスタリスク“＊＊”を表示する（Ｓ６）。１ブロックの同期が所定時間内に取れなかった場合は（Ｓ４のＮ，Ｓ５のＹ）、アスタリスクを全て消去して、“多重放送を受信していません”を表示して（Ｓ７）、ステップ１に戻る。ステップＳ６の次に、最初の１フレームの同期が取れると（Ｓ８）、ＦＭ多重放送を受信中であることを報知するために３つのアスタリスク“＊＊＊”を表示する（Ｓ９）。受信した１パケット毎に番組番号を調べ、この番組番号がＲＡＭ（１５）に記憶している表示したい番組番号と一致するか否かを調べる（Ｓ１０）。一致するまで受信を続け（Ｓ１０のＮ）、一致したら（Ｓ１０のＹ）、表示したい情報の検出や情報の表示が間近であることを報知するために４つのアスタリスク“＊＊＊＊”を表示する（Ｓ１１）。そして、表示したい情報を全て受信すると（Ｓ１２のＹ）、これを表示する（Ｓ１３）。例えば、表示したい番組として補完番組を指定していれば放送中の音声に密接な文字情報の受信経過の報知と表示を行うことができ、また、メニューを指定していれば使用者に番組の選択を可能にさせる文字情報の受信経過の報知と表示を行うことができる。
【００１６】
このように、▲１▼ＦＭ多重モードへの切替操作により、ＦＭ多重放送を受信開始したこと、▲２▼最初の信号の確認をすることにより、ＦＭ多重放送の信号をキャッチしたこと、▲３▼途中の信号の確認をすることにより、受信中であること、▲４▼複数の表示情報がある中で表示しようとする情報を確認することにより、表示間近であることを段階的に報知する。
【００１７】
尚、実施例ではアスタリスク“＊”の表示数で受信状況のレベルを報知したが、言葉を表す文字でもよい。また、報知手段は液晶表示装置でなく複数のＬＥＤでもよい。さらに、視覚で無く音声合成等の聴覚による報知手段を使用してもよい。受信機が車載用として使用される場合は、聴覚による報知は交通安全上好ましいものである。
【００１８】
また、本実施例では最初のフレームの同期時に受信中であることを報知したが、カウンタやタイマを併用して複数フレーム後の同期に報知してもよい。
【００１９】
【発明の効果】
前述の理由により、ＦＭ多重放送の受信を開始する操作をしても即座にＦＭ多重情報を表示しないときがある。このとき、受信が進行しているか否かを報知することにより、受信可能な場合は使用者に安心感を与え、受信不可能な場合は使用者にこのまま待っても受信できないことを知らせる。
【図面の簡単な説明】
【図１】ＦＭ多重放送の１フレームの構造を示す図である。
【図２】ＦＭ多重放送のパリティパケットの構造を示す図である。
【図３】ＦＭ多重放送のパケット中の番組番号を示す図である。
【図４】本発明の実施例を示すブロック図である。
【図５】実施例の表示装置と操作部を示す図である。
【図６】本発明の実施例の動作を示すフローチャートである。
【符号の説明】
１    ＦＷ受信回路
８    スピーカ
９    多重信号検出回路
１１    データ復調回路
１２    操作部
１３    制御回路
１５    ＲＡＭ
１６    表示装置
Ｋ２    メニューキー
【図１】
0003639340.tif 000002
【図２】
0003639340.tif 000003
【図３】
0003639340.tif 000004
【図４】
0003639340.tif 000005
【図５】
0003639340.tif 000006
【図６】
0003639340.tif 000007